(57)【特許請求の範囲】
【請求項１】
各商品に対応する商品キーと、取引の合計金額を算出するための小計キーと、商品の店内利用時に操作する店内キーと、商品の持ち帰り時に操作する店外キーとを具備し、登録された個々の商品を、それぞれの商品に対応する前記商品キーで入力し、前記小計キーを操作して取引の合計金額の算出を行う電子式キャッシュレジスタと、商品の重量測定を行う秤とを備える電子式キャッシュレジスタシステムであって、
前記電子式キャッシュレジスタが、各商品の設定された金額及び重量を記憶する設定値記憶手段と、商品が前記商品キーで登録されるごとに前記商品の設定された重量を加算する重量加算手段と、前記重量加算手段によって加算された重量合計値を記憶する重量合計記憶手段と、前記小計キーが操作されたとき、前記商品キーで登録された各商品の設定された金額の合計金額を算出する金額加算手段と、前記重量合計記憶手段に記憶された重量合計値と前記秤の重量測定値との比較を行う比較手段とを備え、前記小計キーの操作の後、前記店外キーが操作された場合は、前記比較手段の比較結果が一致したときに取引処理を終了し、前記小計キーの操作の後、前記店内キーが操作された場合は、前記比較手段の比較を行わずに取引処理を終了することを特徴とする電子式キャッシュレジスタシステム。
【請求項２】
前記重量合計記憶手段が、前記重量加算手段によって加算された重量を取引番号と対応付けて記憶し、前記比較手段が、前記重量合計記憶手段に記憶された重量合計値の中から前記取引番号によって特定される重量合計値を用いて前記比較を行うことを特徴とする請求項１に記載の電子式キャッシュレジスタシステム。
【請求項３】
前記電子式キャッシュレジスタが、重量を非加算とする商品を指定する指定手段を具備し、前記重量加算手段が、前記指定手段によって指定された商品を除いて、各商品の設定された重量を加算することを特徴とする請求項１に記載の電子式キャッシュレジスタシステム。
【発明の詳細な説明】
【０００１】
【発明の属する技術分野】
本発明は、ファーストフードレストランやスーパーマーケットなどに設置する電子式キャッシュレジスタ（以下、ＥＣＲという）とそのシステムに関し、特に、商品の取り揃えミスを発見できるようにしたものである。
【０００２】
【従来の技術】
従来のファーストフードレストラン等に設置されるＥＣＲは、図４４に示すように、計算や入出力の制御行うＣＰＵ441と、商品の登録・金額の入力を行うためのキーボード442と、操作者に登録内容を示すための表示器443と、お客様に渡すレシートやレポートを印字するためのプリンタ444と、ＥＣＲの計算や制御を記憶しておくプログラムメモリ445と、販売金額や個数を記憶しておく合計器メモリ446と、商品名や単価を記憶しておく設定メモリ447とを備えている。
【０００３】
キーボード442には、図４５に示すように、商品に対応するキーが予め設定されており、お客様の注文に応じキーを押すだけで注文処理が出来るように構成されている。
【０００４】
例えば、ハンバーガとチーズバーガとボテトフライＭとコーラの注文を受けた時は、図４６に示すように、ハンバーガキー461、チーズバーガキー461、ポテトフライＭキー461及びコーラキー461を押し、注文か終了すると小計キー462を押し、お客様に小計金額を知らせ、店内で飲食するかお持ち帰りになるかをお客様から聞き、お持ち帰りの時は店外販売キー463を押して会計処理を終了し、レシート印字を行う。
【０００５】
レシートには、図４７に示すように、通常、取引日付・取引番号・商品明細・小計金額・税金・合計金額・預かり金額・釣り銭・取扱者等が印字される。
【０００６】
店内飲食の場合は、注文された商品をトレー等に載せてお客様に渡すが、お持ち帰りの場合には、商品を袋等に詰めてお客様に渡す。袋詰めをする時は、ＥＣＲの表示画面またはレシートに表示されている商品を取り揃えて袋に詰め、お客様に渡す。
【０００７】
【発明が解決しようとする課題】
しかし、従来のＥＣＲシステムでは、商品の取り揃えをレシートまたはＥＣＲの表示画面を見ながら行うので、商品の袋への入れ忘れや入れ間違いが起こり易いという問題点があり、そうした間違いを起こさないように、店員には細心の注意が求められ、店員の精神的負担が大きいという問題点があった。
【０００８】
また、お客様が間違いに気が付く時は店舗から離れている場合が多く、そのような場合でも、お客様の所まで正しい商品を届ける必要があり、店舗にとって間違いの修復に大きな負担が掛かるという問題点もあった。
【０００９】
本発明は、こうした従来の問題点を解決するものであり、商品を袋等に詰めたときの間違いを簡単に識別できるＥＣＲシステムを提供することを目的としている。
【００１０】
【課題を解決するための手段】
そこで、本発明は、各商品に対応する商品キーと、取引の合計金額を算出するための小計キーと、商品の店内利用時に操作する店内キーと、商品の持ち帰り時に操作する店外キーとを具備し、登録された個々の商品を、それぞれの商品に対応する商品キーで入力し、小計キーを操作して取引の合計金額の算出を行うＥＣＲと、商品の重量測定を行う秤とでＥＣＲシステムを構成し、ＥＣＲに、各商品の設定された金額及び重量を記憶する設定値記憶手段と、商品が商品キーで登録されるごとに商品の設定された重量を加算する重量加算手段と、重量加算手段によって加算された重量合計値を記憶する重量合計記憶手段と、小計キーが操作されたとき、商品キーで登録された各商品の設定された金額の合計金額を算出する金額加算手段と、重量合計記憶手段に記憶された重量合計値と秤の重量測定値との比較を行う比較手段とを設け、小計キーの操作の後、店外キーが操作された場合は、比較手段の比較結果が一致したときに取引処理を終了し、小計キーの操作の後、店内キーが操作された場合は、比較手段の比較を行わずに取引処理を終了するようにしている。
【００１３】
こうした構成により、注文された商品の重量を予測し、お客様に手渡す前に予測値と実重量とを比較し、入れ忘れや入れ間違いが無いかを判定することができ、間違った商品を渡してしまうミスを減らすことができる。
【００１４】
【発明の実施の形態】
本発明の請求項１に記載の発明は、各商品に対応する商品キーと、取引の合計金額を算出するための小計キーと、商品の店内利用時に操作する店内キーと、商品の持ち帰り時に操作する店外キーとを具備し、登録された個々の商品を、それぞれの商品に対応する商品キーで入力し、小計キーを操作して取引の合計金額の算出を行うＥＣＲと、商品の重量測定を行う秤とを備えるＥＣＲシステムであって、ＥＣＲに、各商品の設定された金額及び重量を記憶する設定値記憶手段と、商品が商品キーで登録されるごとに商品の設定された重量を加算する重量加算手段と、重量加算手段によって加算された重量合計値を記憶する重量合計記憶手段と、小計キーが操作されたとき、商品キーで登録された各商品の設定された金額の合計金額を算出する金額加算手段と、重量合計記憶手段に記憶された重量合計値と秤の重量測定値との比較を行う比較手段とを設け、小計キーの操作の後、店外キーが操作された場合は、比較手段の比較結果が一致したときに取引処理を終了し、小計キーの操作の後、店内キーが操作された場合は、比較手段の比較を行わずに取引処理を終了するようにしたものであり、持ち帰りの注文商品を袋詰めして秤で一括して計量したときの計量値と、重量合計記憶手段に記憶された重量合計値とを重量比較し、不一致であれば袋詰めに誤りがあり、一致していれば、袋詰めが正しいものと判定できる。
【００１５】
請求項２に記載の発明は、重量合計記憶手段が、重量加算手段によって加算された重量を取引番号と対応付けて記憶し、比較手段が、重量合計記憶手段に記憶された重量合計値の中から取引番号によって特定される重量合計値を用いて比較を行うようにしたものであり、商品の作られる順序が入れ替わっても、取引番号によって対応付けて重量比較を行うことができる。
【００１７】
請求項３に記載の発明は、ＥＣＲに、重量を非加算とする商品を指定する指定手段を設け、重量加算手段が、指定手段によって指定された商品を除いて、各商品の設定された重量を加算するようにしたものであり、重量が設定重量から変わった商品を、重量比較の対象から除くことができる。
【００２７】
以下、本発明の実施の形態について、図面を用いて説明する。
【００２８】
（第１の実施形態）
第１の実施形態のＥＣＲシステムでは、図３に示すように、ＥＣＲ31と秤33とが通信ケーブル32で接続されている。
【００２９】
ＥＣＲ31は、図２に示すように、この装置の動作を規定するプログラムが格納されたプログラムメモリ25と、プログラムに従って計算や入出力の制御を行うＣＰＵ21と、商品を登録したり金額を入力するためのキーボード22と、販売金額や個数を記憶する合計器メモリ26と、商品名や単価やその商品について設定された重量を記憶する設定メモリ27と、販売商品の設定重量の合計値を記憶する重量合計メモリ24と、登録内容等を表示する表示器23と、秤33に接続する通信回路28とを備えている。
【００３０】
図１は、設定メモリ27に設定する、商品名、単価及び重量から成る商品設定テーブルを示している。この商品設定テーブルには、画面やレシートに表示する名称11が設定され、商品の単価12が設定され、商品の重量13が設定される。
【００３１】
また、図４は、キーボード22の構成を示しており、販売商品の種別を入力する商品販売キー41、数字を入力する数字キー42、小計金額を求めるための小計キー43、秤33の計量値を読み込むための測定キー44、店内で飲食する商品を販売するときに押す店内販売キー45、及び、持ち帰り商品を販売するときに押す店外販売キー46とから成る。
【００３２】
図５は、店員が操作するキーボードの例を示している。例えば、ハンバーガとチーズバーガとポテトフライＭとコーラとを販売する時、店員がハンバーガキー51（１００ｇ）、チーズバーガキー51（１１５ｇ）、ポテトフライＭキー51（１２０ｇ）、及びコーラキー51（１２０ｇ）を順に押すと、商品キーが押される毎に商品設定テーブルから各商品の重量13が呼び出され、加算されて重量合計メモリ24に記憶される。この例では、重量合計メモリに記憶される値は４５５ｇになる。
【００３３】
注文が終了すると、店員は小計キー52を押し、お客様に小計金額を知らせ、店内で飲食するかお持ち帰りになるかをお客様に訊ね、お持ち帰りの時は店外販売キー53で会計処理する。店員は、ＥＣＲの表示画面またはレシートを見ながら、商品を袋等に詰め、これを秤33に載せて測定キー54押す。
【００３４】
測定キー54が押されると、ＥＣＲ31は通信ケーブル32を経由して秤33から重量を呼び出し、重量合計メモリ24に記憶されている重量と、秤33で計量された商品重量とを比較する。重量が一致すれば、お客様に商品を渡し、間違っている場合には、ＥＣＲ31の表示器23にエラーを表示し、店員は正しい商品を袋に入れ直して、再度測定キー54を押す。
【００３５】
図６は、このときのＥＣＲのキー処理のルーチンを示している。
【００３６】
ステップ61では、商品キーが押された後かどうかを判定し、商品キー後であればステップ62に、それ以外の時はステップ63に飛ぶ。ステップ62では、テーブル12から単価を呼び出し、合計器メモリ26に加算し、テーブル13から重量を呼び出し、重量合計メモリ24に加算し、ステップ61に飛ぶ。ステップ63では、小計キーが押された後かどうかを判定し、小計キー後であればステップ64に、それ以外の時はステップ65に飛ぶ。ステップ64では、小計を計算し、小計金額を表示器23に表示し、ステップ61に飛ぶ。ステップ65では、店内キーまたは店外キーが押された後かどうかを判定し、店内キーまたは店外キー後であればステップ66に、それ以外の時はステップ67に飛ぶ。ステップ66では、税金計算・釣り銭計算等を行い、釣り銭を表示器23に表示し、ステップ71に飛ぶ。ステップ67では、測定キーが押された後かどうかを判定し、測定キー後であればステップ68に、それ以外の時はステップ61に飛ぶ。ステップ68では、通信ケーブル32を経由して秤33の重量を呼び出し、ステップ69へ飛ぶ。
【００３７】
ステップ69では、ステップ68で呼び出した秤重量と重量合計メモリ24の値とを比較し、正しければステップ72ヘ、正しくなければステップ70へ飛ぶ。ステップ70では、操作者に袋の中身を確かめるよう、エラーを表示器23に表示し、ステップ61へ飛ぶ。ステップ72では、取引が終了したので、重量合計メモリ24をクリアする。
【００３８】
このように、このＥＣＲでは、商品毎の重量を設定する機能、商品を登録する毎にその重量を加算する機能、秤と接続して秤での計量値を取得する機能、及び、商品準備後に登録重量と準備出来た商品の重量とを比較する機能を持つことにより、商品を入れ間違ったままお客様に渡すケースを少なくすることができ、お客様の満足度を上げることができる。
【００３９】
また、間違いを起こさないように気遣う店員の精神的負担を軽減することができ、また、間違いを修復するための作業を減らすことができる。
【００４０】
（第２の実施形態）
第２の実施形態のＥＣＲシステムでは、購入商品が取引番号を付して登録され、重量合計メモリに、取引番号ごとの購入商品の重量加算値が記憶される。
【００４１】
図７は、第２の実施形態の重量合計メモリの構成例を示しており、取引番号73と対応付けて重量合計74が記憶される。
【００４２】
このシステムでは、商品登録時に、取引番号を入力してから商品キーを押すことによって、重量合計メモリには、取引番号73と重量合計74とが記憶され、また、図８に示すように、数字キーにより取引番号１２６１を入力してから測定キーを押すことにより、重量合計メモリから該当する取引番号の重量合計が呼び出され、秤での計量値と比較される。
【００４３】
図９は、このときのＥＣＲのキー処理のルーチンを示している。
【００４４】
ステップ91において、測定キーが押されたことを判定すると、ステップ92において、重量合計メモリから、入力された取引番号１２６１に該当する重量合計５５０ｇを呼び出し、ステップ93において、秤重量を呼び出し、ステップ94では、秤の重量と比較する。また、ステップ95において、測定キーが押された時に入力された取引番号に該当する重量合計メモリのエリアをクリアする。
【００４５】
その他のフローは第１の実施形態（図６）と変わりがない。
【００４６】
第１の実施形態では、取り引き毎に重量の合計がステップ72でクリアされるので、一取り引き毎に重量比較を行わないと、次の注文が処理出来ない。これに対して、第２の実施形態では、重量合計メモリに各取り引き毎の取引番号73と重量合計74とを記憶する機能を持つため、重量合計メモリに複数の未処理の取引の重量合計が記憶されても、商品準備後に、取引番号により該当する登録重量を呼び出して、準備出来た商品の重量と比較することができるため、注文を次々と登録することができる。また、商品が作られる順序が入れ替わっても、取引番号により支障なく重量を比較することができる。
【００４７】
（第３の実施形態）
第３の実施形態のＥＣＲシステムでは、商品設定テーブルに、重量加算すべき商品か否かを識別するフラグを設けている。
【００４８】
図１０は、このシステムにおける商品設定テーブルの構成例を示しており、商品名、単価、重量のデータに加えて、重量加算する商品には“１”、重量加算しない商品には“０”の加算フラグを設けている。
【００４９】
第１の実施形態では、バーガ類もポテト類も飲料も全て重量を測定しているが、このシステムのように、重量を加算するか否かのフラグを設けることにより、コーラのように、お客様の好みにより、氷を入れたり入れなかったりして商品重量が変化する商品や、玩具の様な商品と同一の袋詰めを行わない商品を重量測定から外すことか出来る。
【００５０】
店員は、会計処理をした後、決められた商品、即ち、加算フラグが１の商品のみを袋に詰め、これを秤に載せて測定キー押す。それにより、加算フラグが１の商品を対象として、商品の重量合計データと秤計量値との比較が行われる。
【００５１】
図１１は、このＥＣＲのキー処理のルーチンを示している。
【００５２】
ステップ111において商品キーが押された後かどうかを判定し、商品キー後であればステップ112に飛び、テーブルから単価102を呼び出し、合計器メモリ26に加算してステップ113に飛び、押されたキーの商品設定テーブルから加算フラグ104に１が設定されているか否かを判定し、１が立っていればステッフ゜114へ、立っていなければステップ111へ飛ぶ。ステップ114では、テーブルから重量103を呼び出し重量合計メモリ24に加算し、ステップ111に飛ぶ。
【００５３】
このように、この実施形態のＥＣＲでは、商品により重量がばらつく物や、別包装になる物を重量比較の対象から外すことが出来る。
【００５４】
（第４の実施形態）
第４の実施形態のＥＣＲシステムでは、図４２に示すように、ＥＣＲのキーボードに非加算キー421を備えている。
【００５５】
このシステムでは、測定重量から除きたい商品を登録する場合に、非加算キーを押した後に商品キーを押す。例えばコーラのようにお客様の好みで、氷を入れない場合には、商品重量が設定重量から変化する。こうした時、この商品を測定対象から除くために、非加算キーを押した後に商品キーを押す。こうすることにより、この商品は加算重量から除かれる。店員は、袋詰めした商品を秤で計量するとき、非加算キーを押した商品は計量対象から除くために袋に入れない。
【００５６】
図４３は、このＥＣＲのキー処理のルーチンを示している。
【００５７】
ステップ431で非加算キーが押されたかどうかを判定し、押されていた時はステップ432で非加算フラグを設定し、次のキー入力を待つステップへ飛ぶ。押されていなかった時は、小計キー判定ステップヘ飛ぶ。商品キーが押された後では、単価について加算した後、非加算フラグ判定ステッブ433で、非加算フラグが設定されているかどうかを判定し、設定されている時は、その商品は重量に加算しないため、次のキー入力を待つステップヘ飛ぶ。非加算フラグが設定されていない時は、重量加算ルーチンヘ飛ぶ。
【００５８】
このように、このシステムでは、非加算キーを設けることにより、設定重量以外の商品が発生したとき、その商品を袋から外して、残りの商品で重量比較を行うという対応が可能になる。
【００５９】
（第５の実施形態）
第５の実施形態のＥＣＲシステムでは、図１２に示すように、ＥＣＲ123とプリンタ121とを通信ケーブル122で接続し、秤124は、ＥＣＲ123の近くに置いている。
【００６０】
このシステムでは、購入商品の合計重量がプリンタ121で印字され、店員は、印字された購入商品の合計重量と、購入商品を秤124に載せたときに表示される重量とを見比べて、袋詰めに誤りがないかどうかをチェックする。ＥＣＲ123の内部構成は、通信回路がプリンタ121と接続している点を除けば、第１の実施形態（図２）と変わりがない。
【００６１】
図１４には、プリンタ121で印字されるレシートの例を示しており、購入商品の重量が併せて印字されている。
【００６２】
図１３は、このＥＣＲ123のキー処理のルーチンを示している。
【００６３】
ステップ131において、店内または店外キーが押されると、取り引きが終了したのでステップ132に飛ぶ。ステップ132では、税金・釣り銭計算等を行い、釣り銭を表示器23に表示し、ステップ133に飛ぶ。ステップ133では、プリンタ121にＥＣＲ123から通信ケーブル122を経由して印字データが送られ、図１４に示す様に、従来のレシート内容を印字すると同時に、重量合計メモリ24に記憶されている商品の重量合計４５５ｇを印字し、ステップ134に飛ぶ。ステップ134では、取り引きか終了したので重量合計メモリ24をクリアする。
【００６４】
商品を取り揃える者は、レシートまたはＥＣＲ123の画面を見ながら商品を袋に詰め、詰め終わると秤124に載せ、レシートに印字されている重量と比較して正しい時はお客様に渡し、間違っている場合は、正しい商品を入れ直してお客様に商品を渡す。
【００６５】
このように、このシステムでは、ＥＣＲに対して従来と同じ操作が行われ、重量の比較は秤の表示を見て行われる。そのためＥＣＲの操作を妨げることなく、袋詰めした商品の正誤をチェックすることができる。
【００６６】
（第６の実施形態）
第６の実施形態のＥＣＲシステムでは、レシートに合計重量がバーコードで印字され、図１５に示すように、この重量のデータがスキャナ155で読み取られて、秤154に送られる。ＥＣＲ153の操作に関しては第５の実施形態（図１３）と変わりがない。
【００６７】
図１６には、プリンタ151で印字されるレシートの例を示しており、購入商品の重量がバーコードでプリントされている。
【００６８】
図１７は、秤スキャナ処理のルーチンを示している。
【００６９】
商品を取り揃える者は、レシートまたはＥＣＲ153の画面を見ながら商品を袋に詰め、詰め終わると秤154に載せ、スキャナ155でレシートに印字されている重量を読み取る（ステップ171）。秤154は、レシート重量と商品計量値とを比較し（ステップ172、173）、正しく無いときはエラー音を鳴らす（ステップ174）。エラー音が鳴らない時は、袋詰めは正しいのでお客様に渡し、エラー音が鳴ったときは正しい商品を入れ直して、再度測定を行いお客様に商品を渡す。
【００７０】
このように、このシステムでは、バーコードで重量を入力出来るので操作が容易であり、入力ミスを減らすことができる。
【００７１】
（第７の実施形態）
第７の実施形態のＥＣＲシステムでは、図１８に示すように、ＥＣＲ183に対して、プリンタ181、秤186及びスキャナ184が接続し、スキャナ184で読み取ったレシートの重量と、秤186で計量した商品の重量との比較がＥＣＲ183によって行われる。
【００７２】
ＥＣＲ183からプリンタ181には、通信ケーブル182を経由してデータが送られ、プリンタ181は、図１６と同様に、バーコードで重量を印字したレシートをプリントする。商品を取り揃える店員は、レシートまたはＥＣＲ183の画面を見ながら商品を袋に詰め、詰め終わると、それを秤186に載せる。秤186からは商品重量の計量値が通信ケーブル185経由でＥＣＲ183に送られる。
【００７３】
次いで、店員は、ＥＣＲ183に接続されたスキャナ184でレシートの重量の読み取り操作を行う。ＥＣＲ183は、スキャナ184で読み取った重量と、秤の計量値とを比較し、一致していない場合にはエラーを表示する。エラーか表示されないときは、店員はその商品をお客様に渡し、エラーが表示されたときは商品を入れ直し、再度スキャンを行いお客様に商品を渡す。
【００７４】
図１９は、ＥＣＲ183のキー処理のルーチンを示している。
【００７５】
ステップ191において、測定キーの代わりにスキャナを作動させると、ステップ192へ飛ぶ。ステップ192では、レシートに印字されている重量を読み取り、ステップ193で秤186の重量を読み取り、ステップ194でそれらを比較する。レシートの重量と秤の重量とが合致しているときはステップ196へ飛び、合致しなかったときはステップ195へ飛ぶ。ステップ195では、エラーをＥＣＲの表示器23に表示し、キー待ちステップへ飛ぶ。ステップ196では取引が終了したので、重量合計メモリ24をクリアする。ステップ197では、ＥＣＲ183から通信ケーブル182経由でプリンタ181にデータを送り、レシートに、図１６と同様に、重量をバーコードで印字する。
【００７６】
このように、ＥＣＲシステムでは、秤にスキャナの接続機能を設ける必要がないので、秤を特別に作成する必要がない。
【００７７】
（第８の実施形態）
第８の実施形態のＥＣＲシステムでは、重量の比較をコントローラで行う。
【００７８】
このシステムでは、図２０に示すように、プリンタ208を備える複数のＥＣＲ201が、コントローラ203を介して秤206に接続し、コントローラ203には、入力用のコントローラキーボード204が接続している。
【００７９】
コントローラキーボード204は、図２１に示すキーを備えている。また、コントローラ203は、図２２に示すように、この装置の動作を規定するプログラムが格納されたプログラムメモリ225と、このプログラムに従って動作を制御するＣＰＵ221と、コントローラキーボード204とのキーボードインタフェース222と、ＥＣＲ201及び秤206への通信回路223と、ＥＣＲ201から送られた重量合計データを記憶する商品メモリ224と、袋詰めのエラーを表示するブザー回路226とを備えている。
【００８０】
このシステムのＥＣＲ201は、第２の実施形態（図７）と同様に、商品キーが押されると、重量合計メモリに取引番号と重量合計とを記憶する。また、店内または店外キーが押されると、重量合計メモリの内容を通信ケーブル202経由でコントローラ203へ送信する。コントローラ203では、受信した重量合計メモリの内容を商品メモリ224へ記憶する。
【００８１】
店員は、商品の準備ができると、これを秤206に載せて、コントローラキーボード204から、図８と同様に、レシートに印字されている取引番号を入力し、測定キーを押す。コントローラ203は、商品メモリ224から該当する取引番号の重量を呼び出し、また、通信ケーブル205を経由して秤206から計量値を呼び出し、それらの値を比較する。該当する取引番号の重量が秤206の計量値と一致しない場合には、ブザーが鳴り、エラーを表示する。ブザーが鳴らなかったときは店員は、その商品をお客様に渡し、ブザーが鳴ったときは、商品を入れ直し、再度測定を行いお客様に商品を渡す。
【００８２】
図２３は、ＥＣＲでのキー処理のルーチンを示している。基本的動作は第５の実施形態（図１３）と同様であるが、ステップ231では、ＥＣＲの重量合計メモリ24に記憶されているデータを、通信回線202経由でコントローラ203に送る。コントローラ203は、送られたデータを商品メモリ224に記憶する。また、ステップ232では、従来例と同様の重量を表示していないレシートを印字し、加算重量をクリアして終了する。
【００８３】
図２４は、コントローラの処理ルーチンを示している。ステップ241では、数字キーの入力かどうかを判定し、数字キーの場合には、次のキー入力を待つためにステップ241に飛び、数字キ一以外の時はステップ242へ飛ぶ。ステップ242で測定キーが押されたかどうかを判定し、測定キーが押されたときはステップ243へ飛び、それ以外の時はステップ241へ飛び、次のキー入力を待つ。ステップ243では、商品メモリ224から数字キーで入力された取引番号に該当する重量を呼び出し、ステップ244で通信回線205を通じて秤206の重量を読みとる。
【００８４】
ステップ245では、商品メモリ224から読み出した値と秤の計量値とを比較し、正しければ、ステップ247で該当する商品設定テーブルをクリアして処理を終了し、正しくない時はステップ246に飛ぶ。ステップ246ではブザー音を鳴らし操作者に間違いを知らせ、次の操作を待つ。
【００８５】
このように、このシステムでは、コントローラで比較が行われるため、ＥＣＲの登録操作を妨げない。また、１台の秤を複数のＥＣＲで共同利用することができる。
【００８６】
（第９の実施形態）
第９の実施形態のＥＣＲシステムでは、レシートに取引番号をバーコードで印字し、スキャナでこのバーコードを読み取ってコントローラに取引番号を入力する。
【００８７】
図２５は、このシステム構成を示しており、スキャナ251がコントローラ252に接続している。
【００８８】
図２６は、レシートの印字例を示しており、取引番号がバーコードで表されている。
【００８９】
図２７は、コントローラの内部構成であり、スキャナインタフェース271を具備している点だけが第８の実施形態（図２２）と違っている。
【００９０】
図２８は、コントローラの処理ルーチンを示している。
【００９１】
このシステムのＥＣＲ、通信ケーブル、プリンタ、秤の動作は、基本的に第８の実施形態と同様であるが、プリンタによってレシートに取引番号がバーコードで印字される点が違っている。
【００９２】
店員は、商品の準備ができると、これを秤に載せ、次いで、コントローラに接続されているスキャナ251でレシート上の取引番号を読取る（ステップ281）。読み取られた取引番号は、コントローラのスキャナインタフェース271から入力する。その後のコントローラの動作は第８の実施形態と同じである。
【００９３】
このシステムでは、取引番号をスキャナで読むことにより、取引番号の入力ミスを少なくすることができる。
【００９４】
（第１０の実施形態）
第１０の実施形態のＥＣＲシステムでは、注文された商品がビデオモニタに表示される。
【００９５】
図２９は、このシステム構成を示しており、コントローラ293にコントローラキーボード291とビデオモニタ292とが接続している。
【００９６】
図３１は、ビデオモニタ292の表示画面を示しており、取引番号１２３４、１２６４、１２６５の注文商品の商品名及び数量が表示され、取引番号１２３４にカーソルが位置している。
【００９７】
図３０は、コントローラキーボード291のキーを示しており、測定キー303と、左矢印キー301と、右矢印キー302とがある。左矢印キー301または右矢印キー302を押すことによって、カーソルがビデオモニタ292の表示画面上を左右に移動し、また、袋詰めした商品を秤に載せて測定キー303を押すと、カーソルが位置する取引きの商品を対象とする商品重量比較が行われる。
【００９８】
図３３は、コントローラ293の内部横成を示しており、ビデオモニタ292との接続を行う表示回路インタフェース334を具備している点が第８の実施形態（図２２）と相違している。
【００９９】
このシステムでは、ＥＣＲで注文が取られた商品の取引番号・商品明細・重量合計等の詳細データが、通信ケーブルを経由してコントローラ293に送られる。コントローラ293は、受信したデータを商品メモリに記憶するとともに、このデータを表示回路インタフェース334経由でビデオモニタ292に送り、ビデオモニタ292に表示させる。
【０１００】
ＥＣＲと商品を調理する厨房とが離れている店舗では、ＥＣＲの表示を見て商品を準備することが出来ないので、ビデオモニタ292を厨房から見える位置に配置して、このビデオモニタ292を見ながら商品を準備し、準備が出来ると、商品を袋等に詰めて秤に載せ、重量を比較する。
【０１０１】
図３１の表示例において、カーソルが点滅している取引番号１２３４の表示311が測定キー303で重量比較を行う注文であり、カーソルの無い取引番号１２６４、１２６５の表示312は、重量比較が出来ない注文を示している。
【０１０２】
操作をする店員は、注文の準備が出来ると、キーボードの左矢印キー301と右矢印キー302とを使用して取引番号を選択する。キーボード291の入力は、キーボードインタフェース回路333を介してコントローラに入力し、取引番号が検出され、このデータがビデオモニタ292に送られて、ビデオモニタ292の表示に反映される。
【０１０３】
操作者は、商品を詰めた袋等を秤に乗せ、測定キー303を押す。
【０１０４】
コントローラ293は、商品メモリに記憶する該当する取引きの商品の重量データと秤の計量値とを比較し、正しければカーソルの在る画面311を消去し、正しくない時はエラー音を鳴らし次の操作を待つ。
【０１０５】
図３２は、このコントローラの処理ルーチンを示している。ステップ321では、ＥＣＲからのデータを受信したかを判定し、受信データが在る時はステップ330へ飛び、受信データが無い時はステップ322へ飛ぶ。ステップ322では、キーボード291の左矢印キー301が押されたかを判定し、左矢印キー301が押されていたらステップ331へ飛び、押されていなければステップ323へ飛ぶ。ステップ323では、キーボード291の右矢印キー302が押されたかを判定し、右矢印キー302が押されていたらステップ332へ飛び、押されていなければステップ324へ飛ぶ。ステップ324ではキーボード291の測定キー303が押されたかを判定し、測定キー303が押されていたらステップ325へ飛び、押されていなければステップ321へ飛ぶ。ステップ325では、カーソルが表示されている取引番号の商品重量を読み込み、ステップ326で通信ケーブルを経由して秤から計量値を読み取り、ステップ327で商品重量と秤重量とを比較し、正しければステップ328へ飛び、正しくなければステップ329へ飛ぶ。ステップ328では、該当の取引番号の商品設定テーブルを消去し、ビデオモニタ329の該当商品の表示を消去する。例えば、図３１の取引番号１２３４か消去され、取引番号１２６４と１２６５とが左側に１個づつシフトして表示される。
【０１０６】
ステップ329では、エラー音を鳴らし重量が間違っていたことを操作者へ知らせ、次の操作を待つためにステップ321へ飛ぶ。
【０１０７】
ステップ330では、ＥＣＲから受信した商品の詳細データを商品設定テーブルに記憶し、ビデオモニタ329の空いている画面へ受信データを表示し、ステップ321へ飛ぶ。ステップ331では、カーソルを左に１個移動し、ステップ321へ飛ぶ。ステップ332では、カーソルを右に１個移動し、ステップ321へ飛ぶ。
【０１０８】
このように、このＥＣＲシステムでは、ビデオモニタを見なから商品の取り揃えが出来、作業能率を向上させることができる。
【０１０９】
（第１１の実施形態）
第１１の実施形態のＥＣＲシステムでは、ビデオモニタの画面上に重量比較の不一致を示すエラーメッセージが表示される。
【０１１０】
図３４は、エラーメッセージ341が表示されたビデオモニタの画面を示している。
【０１１１】
図３５は、このシステムのコントローラの処理ルーチンを示している。コントローラは、ＥＣＲから受信し記憶している重量データと秤の計量値とを比較し、一致しないときに、エラー音を鳴らし、さらに、ステップ351に飛び、ビデオモニタの画面にエラーメッセージ341を表示する。
【０１１２】
このように、このシステムでは、エラーが発生した時に、音とメッセージで知らせる機能を設けることにより、騒音のためにエラー音が聞こえ難い場所でも、ビデオモニタの画面からエラーを認識することができる。
【０１１３】
（第１２の実施形態）
第１２の実施形態のＥＣＲシステムでは、重量比較の結果が不一致である場合に、ビデオモニタの画面上で、不一致に該当する商品がブリンク表示される。
【０１１４】
図３６は、ビデオモニタのエラー画面を示しており、取引番号１２３４の商品表示361とエラーメッセージとがブリンク表示されている状態を示している。
【０１１５】
図３７は、このシステムのコントローラのルーチンを示している。重量比較の結果、不一致である場合に、エラー音を鳴らし、さらに、ステップ371に飛び、ビデオモニタの画面にエラーメッセージを表示するとともに、エラー処理画面全部のアイテムをブリンク表示する。
【０１１６】
このように、このシステムでは、ブリンク表示によりエラーが鮮明に表示されるため、騒音が多い所でエラー音が聞こえない時でも、エラーを画面で容易に確認することができる。
【０１１７】
（第１３の実施形態）
第１３の実施形態のＥＣＲシステムでは、重量比較の結果が不一致である場合に、ビデオモニタの画面上にエラーメッセージとして重量誤差を表示する。
【０１１８】
図３８は、ビデオモニタのエラー画面を示しており、重量比較の結果、１０ｇの誤差があったことが表示されている。
【０１１９】
図３９は、このシステムのコントローラの処理ルーチンを示している。重量比較の結果、不一致である場合に、エラー音を鳴らし、さらに、ステップ391に飛び、ビデオモニタの画面に取引商品重量と秤重量との差を表示する。
【０１２０】
このように、このシステムでは、取引き商品重量と秤計量値との差を表示することにより、重量誤差が少ない時は袋に間違った物を入れた可能性が高く、重量誤差が多い時は袋への入れ忘れか、多く入れた可能性が高いことが判り、間違いを早く見つけることができ、入れ間違いの修復時間を短縮することができる。
【０１２１】
（第１４の実施形態）
第１４の実施形態のＥＣＲシステムでは、ビデオモニタの画面上で重量加算の対象となる商品が識別できるように表示される。
【０１２２】
図４０は、このビデオモニタの画面を示しており、重量加算の対象となる加算フラグが１の商品にマークＰ401が表示される。
【０１２３】
このシステムのＥＣＲは、第３の実施形態の商品設定テーブル（図１０）を具備しており、コントローラに取引きの詳細データを送るときに、購入商品に付されている加算フラグを併せて送信する。
【０１２４】
図４１は、このシステムのコントローラの処理ルーチンを示している。この動作は、第１０の実施形態（図３２）のフローに、加算フラグ判定のステップ411と、加算フラグ表示のステップ412とを加えたものであり、ＥＣＲからの受信データに加算フラグとして１が付された物があるかどうかを判断し、無ければスタートステップに戻り、１が設定された物があればステップ412に飛び、商品名の横に袋詰めマーク（例えばＰマーク）を追加表示し、スタートステップに戻る。
【０１２５】
ビデオモニタに対して、このような表示制御を行うことにより、商品の準備をする店員は、図４０の画面を見ながら、Ｐと表示されている商品だけを袋詰めすれば良く、取り揃えの時間短縮を図ることができる。
【０１２６】
このように、このシステムでは、取り揃えマーク表示により袋詰め商品が分かり易くなり、注文処理時間を短縮することが出来る。
【０１２７】
【発明の効果】
以上の説明から明らかなように、本発明のＥＣＲ及びそのシステムでは、商品の袋等への入れ間違いを容易に判定することができ、商品の入れ間違いを少なくすることができる。
【０１３０】
また、キーボードに非加算キーを設けたシステムでは、重量が設定重量から変わってしまった商品を重量比較の対象から簡単に外すことができる。
【図面の簡単な説明】
【図１】第１の実施形態における商品設定テーブル例の図、
【図２】第１の実施形態における電子式キャツシュレジスタの内部構成例の図、
【図３】第１の実施形態におけるシステム構成例の図、
【図４】第１の実施形態におけるキーボード例の図、
【図５】第１の実施形態におけるキー操作例の図、
【図６】第１の実施形態におけるキー処理ルーチンの図、
【図７】第２の実施形態における重量合計メモリ構成例の図、
【図８】第２の実施形態におけるキー操作例の図、
【図９】第２の実施形態におけるキー処理ルーチンの図、
【図１０】第３の実施形態における商品設定テーブル例の図、
【図１１】第３の実施形態におけるキー処理ルーチンの図、
【図１２】第５の実施形態におけるシステム構成例の図、
【図１３】第５の実施形態におけるキー処理ルーチンの図、
【図１４】第５の実施形態における印字例の図、
【図１５】第６の実施形態におけるシステム構成例の図、
【図１６】第６の実施形態における印字例の図、
【図１７】第６の実施形態における秤スキャナ処理ルーチンの図、
【図１８】第７の実施形態におけるシステム構成例の図、
【図１９】第７の実施形態におけるＥＣＲキー処理ルーチンの図、
【図２０】第８の実施形態におけるシステム構成例の図、
【図２１】第８の実施形態におけるコントローラキーボード例の図、
【図２２】第８の実施形態におけるコントローラ内部構成例の図、
【図２３】第８の実施形態におけるＥＣＲキー処理ルーチンの図、
【図２４】第８の実施形態におけるコントローラ処理ルーチンの図、
【図２５】第９の実施形態におけるシステム構成例の図、
【図２６】第９の実施形態におけるレシート印字例の図、
【図２７】第９の実施形態におけるコントローラの内部例の図、
【図２８】第９の実施形態におけるコントローラ処理ルーチンの図、
【図２９】第１０の実施形態におけるシステム構成例の図、
【図３０】第１０の実施形態におけるコントローラキーボード例の図、
【図３１】第１０の実施形態におけるモニタの表示例の図、
【図３２】第１０の実施形態におけるコントローラ処理ルーチンの図、
【図３３】第１０の実施形態におけるコントローラ内部構成例の図、
【図３４】第１１の実施形態におけるモニタのエラー表示例の図、
【図３５】第１１の実施形態におけるコントローラ処理ルーチンの図、
【図３６】第１２の実施形態におけるモニタのエラー表示例の図、
【図３７】第１２の実施形態におけるコントローラ処理ルーチンの図、
【図３８】第１３の実施形態におけるモニタのエラー表示例の図、
【図３９】第１３の実施形態におけるコントローラ処理ルーチンの図、
【図４０】第１４の実施形態におけるモニタのエラー表示例の図、
【図４１】第１４の実施形態におけるコントローラ処理ルーチンの図、
【図４２】第４の実施形態におけるキーボード例の図、
【図４３】第４の実施形態におけるキー処理ルーチンの図、
【図４４】従来の電子式キャツシュレジスタの内部構成例の図、
【図４５】従来のキーボード例の図、
【図４６】従来のキー操作例の図、
【図４７】従来のレシート印字例の図である。
【符号の説明】
11  商品名
12  単価
13、103  重量
21、221、421、441  ＣＰＵ
22、422、442  キーボード
23、443  表示器
24  重量合計メモリ
25、445  プログラムメモリ
26、446  合計器メモリ
27、447  設定メモリ
28  通信回路
31、123、153、183、201  ＥＣＲ
32、122、152、182、185、202、205、207  通信ケーブル
33、124、154、186、206  秤
41、51、451、461  商品キー
42、452  数字キー
43、52、453、462  小計キー
44、54  測定キー
45、454  店内キー
46、53、455、463  店外キー
73  取引番号
74  重量合計
101  商品名
102  単価
104  加算フラグ
121、151、181、208、444  プリンタ
155、184、251  スキャナ
203、252、293  コントローラ
204、291  コントローラキーボード
222、333  キーボードＩ／Ｆ
223  通信回路
224  商品メモリ
225  プログラムメモリ
226  ブザー回路
271  スキャナＩ／Ｆ
292  ビデオモニタ
301  左矢印キー
302  右矢印キー
303  測定キー
311、312  表示画面
341  エラー画面
361、381、401  エラー表示画面
421  非加算キー
【図１】
0003649627.tif 000002
【図２】
0003649627.tif 000003
【図３】
0003649627.tif 000004
【図４】
0003649627.tif 000005
【図５】
0003649627.tif 000006
【図６】
0003649627.tif 000007
【図７】
0003649627.tif 000008
【図８】
0003649627.tif 000009
【図９】
0003649627.tif 000010
【図１０】
0003649627.tif 000011
【図１１】
0003649627.tif 000012
【図１２】
0003649627.tif 000013
【図１３】
0003649627.tif 000014
【図１４】
0003649627.tif 000015
【図１５】
0003649627.tif 000016
【図１６】
0003649627.tif 000017
【図１７】
0003649627.tif 000018
【図１８】
0003649627.tif 000019
【図１９】
0003649627.tif 000020
【図２０】
0003649627.tif 000021
【図２１】
0003649627.tif 000022
【図２２】
0003649627.tif 000023
【図２３】
0003649627.tif 000024
【図２４】
0003649627.tif 000025
【図２５】
0003649627.tif 000026
【図２６】
0003649627.tif 000027
【図２７】
0003649627.tif 000028
【図２８】
0003649627.tif 000029
【図２９】
0003649627.tif 000030
【図３０】
0003649627.tif 000031
【図３１】
0003649627.tif 000032
【図３２】
0003649627.tif 000033
【図３３】
0003649627.tif 000034
【図３４】
0003649627.tif 000035
【図３５】
0003649627.tif 000036
【図３６】
0003649627.tif 000037
【図３７】
0003649627.tif 000038
【図３８】
0003649627.tif 000039
【図３９】
0003649627.tif 000040
【図４０】
0003649627.tif 000041
【図４１】
0003649627.tif 000042
【図４２】
0003649627.tif 000043
【図４３】
0003649627.tif 000044
【図４４】
0003649627.tif 000045
【図４５】
0003649627.tif 000046
【図４６】
0003649627.tif 000047
【図４７】
0003649627.tif 000048